(57)【特許請求の範囲】
【請求項１】
少なくとも１つの鏡（２６，２７，２８）が、光または投影ビーム（２３）および／または対象物（１０）により反射された画像を偏向させるように配置された撮像領域部（２）、およびグリップ領域部（３）を有する、歯のような三次元対象物（１０）の画像を記録するための装置であって、カメラ（３２）および／またはプロジェクター（１４）が撮像領域部（２）に配置され、そして撮像領域部（２）がグリップ領域部（３）に関して１０°から４０°の間の角度（α）で投影方向に対して傾けられていることを特徴とし、
少なくとも２つの鏡（２７，２８）がそれぞれの場合で、プロジェクター（１４）からの光線（２３ａ，２３ｂ）を異なる方向から対象物（１０）へ反射する、該三次元対象物（１０）の画像を記録するための装置。
【請求項２】
中央領域部（５）がグリップ領域部（３）と撮像領域部（２）との間に配置され、この中央領域部がそれぞれの場合でグリップ領域部（３）および撮像領域部（２）に関して少なくとも３°の角度（β、γ）で傾けられている請求項１に記載の装置。
【請求項３】
中央領域部（５）がグリップ領域部（３）と撮像領域部（２）との間に配置され、中央領域部（５）がグリップ領域部（３）に関して７°〜２５°の角度（γ）で傾けられている請求項１または２に記載の装置。
【請求項４】
中央領域部（５）がグリップ領域部（３）と撮像領域部（２）との間に配置され、撮像領域部（２）が中央領域部（５）に関して３°〜１５°の角度（β）で傾けられている請求項１ないし３のいずれか１項に記載の装置。
【請求項５】
撮像領域部（２）が１０ｍｍから６０ｍｍの間の長さを有する請求項１ないし４のいずれか１項に記載の装置。
【請求項６】
撮像領域部（２）が、透明ディスク（１３）により閉じられる開口部（１２）を持つハウジングを有する請求項１ないし５のいずれか１項に記載の装置。
【請求項７】
２つの鏡面対称ハウジングの半分（１６，１７）を持つハウジングを有する請求項１ないし６のいずれか１項に記載の装置。
【請求項８】
プロジェクター（１４）が、撮像領域部（２）と、隣接する中央領域部（５）またはグリップ領域部（３）との間の移行領域に配置されている、請求項１ないし７のいずれか１項に記載の装置。
【請求項９】
光が偏向鏡（２６）を介して間接的に第一鏡（２７）に向けられ、そして光がプロジェクター（１４）から直接、第二鏡（２８）に向けられる請求項１乃至８のいずれか１項に記載の装置。
【請求項１０】
２つの鏡（２７，２８）がカメラ（３２）の異なる側にある請求項１乃至９のいずれか１項に記載の装置。
【請求項１１】
互いに重複し、そして異なる方向からの画像を記録する撮像範囲を持つ２つのカメラ（３２）を特徴とする、請求項１ないし１０のいずれか１項に記載の装置。
【請求項１２】
プロジェクター（１４）が、ランダムに配置されたパターンを対象物（１０）に投影する請求項１ないし１１のいずれか１項に記載の装置。
【請求項１３】
少なくとも１つの透明媒体（３６，３７）には、プロジェクター（１４）のビーム路のパターンが設けられている請求項１２に記載の装置。
【請求項１４】
パターンが、無作為に分布され、不規則に形成された点および／または線から構成される請求項１２または１３に記載の装置。
【請求項１５】
媒体（３６，３７）が、ビーム路の方向で互いに関してオフセットされる区分を有する請求項１３または１４に記載の装置。
【請求項１６】
少なくとも２つの媒体（３６，３７）が、ビーム路の方向で互いに関してオフセットされる請求項１３または１４に記載の装置。
【請求項１７】
少なくとも１つの媒体（３６，３７）が、ビーム路の方向で互いに関してオフセットされる区分を有する請求項１６に記載の装置。
【請求項１８】
光の伝播方向に関して、少なくとも１つの媒体（３６，３７）が９０°に等しくない角度で傾けられている請求項１３ないし１７のいずれか１項に記載の装置。
【発明の詳細な説明】
【技術分野】
【０００１】
本発明は、少なくとも１つの鏡が光または投影ビームおよび／または対象物により反射された画像を偏向させるために配置されている撮像領域、およびグリップ領域を持つ、三次元対象物、特に歯の画像を記録するための装置に関する。
【０００２】
そのような装置は特に歯の三次元撮像の分野に使用される。このような場合、本出願はデジタル歯型および顎型（ｔｏｏｔｈ  ａｎｄ  ｊａｗ  ｉｍｐｒｅｓｓｉｏｎ）を記録すること、診断の支援、歯の処置のモニタリング、ならびに挿入したインプラントの信頼性のあるモニタリングにまで及ぶ。医療用および工業的技術の分野における他の用途、例えば内視鏡の分野に加えて、一般に接近することが難しい対象物を体積測定的（ｓｔｅｒｅｏｍｅｔｒｉｃａｌｌｙ）に測定することができる。
【背景技術】
【０００３】
例えば特許文献１のような最先端技術から、三次元画像をもたらす、歯のような対象物を測定する装置および方法はすでに知られている。この装置および方法、しかしまた他の既知の装置および方法も、三次元画像を作成するために本発明で使用することができる。
【０００４】
既知の装置の重大な欠点は、撮像される対象物を通る撮像装置（手で持つスキャナ−）が、多くの場合で扱い難く、かさばり、しかも患者の口に効果的に導くように幾何学的に形成されていない点にある。
【先行技術文献】
【特許文献】
【０００５】
【特許文献１】オーストリア特許第５０８５６３号明細書
【発明の概要】
【０００６】
したがって本発明の目的は、取り扱いが容易で、しかも口腔内で効率的測定を可能にする装置を利用できるようにすることである。
【０００７】
この目的は、カメラおよび／またはプロジェクターが撮像領域に配置され、そして撮像領域がグリップ領域に対して１０°から４０°の間の角度で投影方向に傾けられている上述したタイプの装置で達成される。
【０００８】
撮像領域はグリップ領域に関して１０°から４０°の間の角度により投影方向に対して曲げられているという事実から、装置を使用して撮像される個々の対象物の視界は、ハンドピースまたはハンドピースを保持する手によりもはや妨げられず、したがってより効率的な対象物の撮像が拘束された条件下（ｃｒａｍｐｅｄ  ｃｏｎｄｉｔｉｏｎ）でも促進される。
【０００９】
本発明の好適な態様は、従属項の主題である。
【００１０】
本発明のさらなる特徴および利点は、添付する図面を参照にして、以下に続く本発明の好適な態様の記載から明らかになるだろう。
【図面の簡単な説明】
【００１１】
【図１】本発明のハンドピースの側面からの態様を示す。
【図２】図１のハンドピースを平面図で示す。
【図３】図１のハンドピースを正面から示す。
【図４】図１〜３のハンドピースを斜切断図で示す。
【図５】本発明の態様の部分拡大図を示す。
【図６】図５の態様を貫通する縦断面を示す。
【図７】図６の詳細を示す。
【図８】線ＶＩＩＩ−ＶＩＩＩに沿って装置を貫通する断面を示す。
【図９】プロジェクターの態様の詳細を示す。
【発明を実施するための形態】
【００１２】
図面では、対象物１０、特に歯の三次元撮像用の装置１の好適態様が示され、これは撮像領域２およびグリップ領域３を有する。説明する態様では、撮像領域２とグリップ領域３との間に中央領域５が配置されている。中央領域５は撮像領域２よりも小さい外寸を有するので、撮像領域２は中央領域５まで本質的に円錐の移行領域６を有する。前端４で、撮像領域２は丸い。
【００１３】
撮像領域２は中心軸７を有し、グリップ領域３は中心軸８を有し、そして中心領域５は中心軸９を有する。中心軸７と中心軸８との間の角度αは、本発明に従い１０°から４０°の間となり、これにより描かれている態様（中央領域５）でこの角度αは２つの角度βおよびγに分けられ、これにより角度βは撮像部２の中心軸７と中央領域５の中心軸９との間にあり、そして角度γは中央領域５の中心軸９とグリップ部分３の中心軸８の間にある。角度βは好ましくは３°から１５°の間になり、そして角度γは７°から２５°の間になる。撮像領域の長さは好ましくは１０から６０ｍｍの間となり、それというのもこの限度内でハンドピース１の容易な取り扱い、および投影および／または撮像技術の設置用の十分な空間の両方が存在するからである。
【００１４】
撮像される対象物１０に面する側面１１上に、開口部１２（図５）が撮像部２に配置され、これはディスク１３によって閉じられる。このディスク１３を通って、光、特に不規則パターンをプロジェクター１４を用いて対象物１０に向けることができ、そして対象物１０の画像をカメラシステム１５により記録することができる。グリップ領域３に関して、撮像領域２はこのように１０°から４０°の間の角度αにより投影方向に対して後方に傾けられる。
【００１５】
図５から８では、プロジェクター１４が光源により光線２３を照射する本発明の態様を示す。光線２３は図９に示す１もしくは複数の透明媒体（ｔｒａｎｓｐａｒｅｎｔ  ｖｅｈｉｃｌｅ）３６、３７、例えばスライドを通って入り、無作為な原理に従い配列されたスライド上のパターンが配置される。このパターンは好ましくは無作為に分布され、場合により不規則に形成された点および／または線から本質的になり、これは引き続いて対象物１０、例えば歯に投射される。
【００１６】
光線２３の光路には偏向鏡（ｄｅｆｌｅｃｔｉｏｎ  ｍｉｒｒｏｒ）２６があり、これが光線２３の一部２３ａ、図７の態様の最下部を第一鏡２７に偏向し、この鏡が引き続き
光を対象物１０に向ける。光線２３の別の部分２３ｂ、図７の態様の中央部分は第二鏡２８に直接あたり、これからの光も対象物１０に向けられる。
【００１７】
偏向鏡２６は好ましくは平面鏡であるが、必要に応じて凸面または凹面鏡であることもできる。この２つの鏡２７および２８は好ましくは、２つの軸が同じか、または異なる曲率半径を持つ二軸の凸面鏡であり、必要ならばこれを用いて光線２３の各比率をより大きく散乱させることができる。
【００１８】
示した態様では、偏向鏡２６および第一鏡２７の配置および曲率は、図面の像平面での光線２３の一部２３ａが、約３０°の開口角度δを有するように選択される。例として、第二鏡２８の配置および曲率は、図面の像平面での光線２３の一部２３ｂが、約２５°の開口角度εを有するように選択される。図面の像平面に対する標準方向では、光線２３の一部２３ａ、２３ｂの開口角度は、要件に応じて同じかまたは異なることができ、鏡２７、２８の適切な曲率により、各開口角度δ、εは像平面に広がる（ｌｉｅ）。
【００１９】
図７の例で選択される鏡２７、２８の配置により、該鏡の光軸２９、３０は、光線２３の一部２３ａ、２３ｂが異なる方向から対象物１０に当たるように互いに傾けられている。
【００２０】
２つの鏡２７、２８の間に見えるプロジェクター１４の投射方向では、第二鏡２８に幾分近く表す態様で、示した態様では２つのカメラ３２からなるカメラシステム１５が配置され、このカメラは互いに重複する撮像領域で異なる方向から記録される画像により対象物１０の三次元測定に関する立体鏡的画像を記録する。鏡２７、２８の２つの光軸２９、３０は平面ωに広がり、これにより２つのカメラ３２、より正確にはそれらのレンズ３３はこの平面ωの両側で対称的である。
【００２１】
この好適な配置により、鏡２６、２７または平面ωのそれらの光軸２９、３０を有するカメラシステム１５は、これにより大変正確な画像の記録、すなわち対象物の測定が可能となる。カメラシステム１５の両側にある鏡２６、２７による光線の一部２３ａ、２３ｂの投影により、対象物１０上への無作為なパターンの照明または投影がこの平面ωの２つの側から起こり、これによりカメラシステム１５の見地から見ると対象物１０、例えば臼歯または門歯の場合に生じる可能性がある影や欠陥（ｆｌａｗ）は、かなり確実に回避され得る。
【００２２】
原理的には、プロジェクター１４から見て、２つのカメラ３２に加えて鏡を配置し、そして場合によりそれら両方が平面ωにあるように２つのカメラ３２を９０°まで回転することが可能である。またカメラ３２の前および／または後ろの両方、および横に２より多くの鏡は、対象物１０へ可能な最高の照明またはパターン投影を作成すると考えることもできる。
【００２３】
示した態様では、偏向鏡２６の上の領域に、光線２３の一部がカメラ３２の光学系３３に望ましくない反射を引き起こさないように、光線２３の第三部分２３ｃを遮断するアパーチャ（ａｐｅｒｔｕｒｅ）３４が配置される。鏡２６、２７、２８およびレンズ３３の配置に依存して、アパーチャ３４は省略または配置でき、あるいは異なるように形成することもできる。
【００２４】
すべての鏡２６、２７、２８、アパーチャ３４、およびまた場合によりカメラシステム１５は、必要ならば個々の部品の単純な調整および／またはキャリブレーションが可能となるように、対応する保持具３１に調整できる様式で固定することもできる。さらに、上記の部品のすべてまたは唯一つの部品は、媒介システム（ｖｅｈｉｃｌｅ  ｓｙｓｔｅｍ）に固定され、そして前調整し、それを次に撮像装置で使用することができる。装置１のハウジングは、好ましくは、鏡像として設計された２つのハウジングの半分１６、１７からなり、これにより装置は大変容易に組み立てることができる。
【００２５】
図面に例として表した本発明の選択された配置により、大変小型で薄い設計が可能となり、これは例えば歯の三次元撮像用のハンドピースに大変た易く組み込むことができる。
【００２６】
図５から８に関連して説明した鏡およびカメラの配置は、好ましくは角度を付けた撮像領域２および場合により中央領域５を有するハンドピースで使用される。それというのも大変薄く、そして鋭く曲がっているので特に口腔スキャナーの場合に特に容易に取り扱える角度をつけたハンドピース１に全投影および撮像技術を取り込むために、特に優れたオプションが鏡２６、２７、２８により提供されるからである。
【００２７】
本発明の装置では、鮮明さの最適な度合いが、対象物、例えば測定され得る歯にスキャナーを配置するだけで、影や欠陥のリスク無しにスキャナーガラス１３の外面から始めて直接達成することができ、逆に既知のスキャナーは歯から特定の距離を維持しなければならないことが多く、これは歯に直接配置することも可能な本発明による可能性と比較すると大いに撮像工程を妨害するものである。
【００２８】
図９では本発明の態様が図により示され、ここで２つの透明媒体３６、３７、例えば２つのスライド（この上に無作為な原理に従い配列されたパターンが配置される）が光線２３のビーム路にあり、これは光源２２、例えばＬＥＤから照射される。このパターンは無作為に分布され、場合により不規則に形成された点および／または線から本質的になることができる。光は示した態様に最初にレンズ３５を通って行き、次いで２つの媒体３６、３７を通り、そして引き続きレンズ３８により象徴的に表され、投影ビーム２３を向けて、鮮明さを調整するために使用される別のレンズ系を通る。
【００２９】
図９のプロジェクター１４は、例えば図５から８に示す装置で使用することができ、ここで光線２３は２つの鏡２７および２８を通して対象物１０に向けられる。光は偏向鏡２６および鏡２７、または対象物１０上の鏡２８のいずれかに当たるかどうかに依存して異なる長さの経路を通り抜けるので、対象物１０上への１つの、またはもう一つの、または両方の投影のぼやけ（ｂｌｕｒｒｉｎｇ）が、媒体上に存在するパターンの投影に生じる可能性がある。
【００３０】
２つの媒体３６、３７を使用することにより、このことを考慮することができ、そしてぼやけは個々に補正され得る。これは例えば、２つの媒体３６、３７が光の伝播方向で互いに関してオフセットされることにより行うことができる。すなわち各媒体３６、３７から各鏡（１もしくは複数）２６、２７、２８を通って対象物１０への光路が全部、再びほぼ同じ長さになるように、例えば鏡２８の光線２３ｂの光路にある媒体３６は、レンズ３８のさらに後ろか、もしくはレンズからさらに離れているか、あるいは鏡２７の光線２３ａの光路にある媒体３７より後のレンズ系となる。媒体３６、３７からレンズ系３８への異なる距離は、これらの距離が空間を測定する平面を定める位置および場所を定めるので決定的となる。各鏡（１もしくは複数）２６、２７、２８を通って対象物１０への路の差がそれほど大きくなければ、例えば一つの媒体を使用するだけでよく、これは段階的にオフセットされる区分を有するか、あるいはこれはさらに中央で路の差を補正するために対応して大きく傾けられるいずれかとなる。別の選択として１つの媒体を使用することもでき、媒体は前側上および後側上の各々の場合で異なる領域または区分にパターンがコーティングされる。次いで媒体材料の厚さも距離の差を定める。
【００３１】
図９では、光の伝播方向に対して媒体３６、３７を傾けることが分かり、すなわち媒体
３６、３７は光の伝播方向に対して正確に直角ではない。本発明のこの態様は、図１から８に表す態様のようにプロジェクター１４またはその光学中心軸３９が、撮像領域２で０°より大きい角度βに傾けられた場合、特に光学中心軸３９がカメラ３２の光学中心軸４０に対して直角に向けられていない場合に有利である。カメラ３２が位置する撮像領域２と中央領域５との間の角度をつけた移行領域で、プロジェクター１４の配置は、このようにして撮像領域２を比較的短く維持することができ、これによりハンドピース１の取り扱いが有意に改善するため特に有利である。プロジェクター１４を傾けることにより生じる対象物１０上へ投影されるパターンのぼやけは、媒体３６、３７を傾けることにより補正できる。
【図１】
0005912141.tif 000002
【図２】
0005912141.tif 000003
【図３】
0005912141.tif 000004
【図４】
0005912141.tif 000005
【図５】
0005912141.tif 000006
【図６】
0005912141.tif 000007
【図７】
0005912141.tif 000008
【図８】
0005912141.tif 000009
【図９】
0005912141.tif 000010